(57)【要約】【課題】  プライバシーを保護して簡単にプリントの発注を行う。【解決手段】  写真フイルム４８の各コマの画像をフイルムスキャナ１１の撮像部５１により読みだす。この読みだした各コマの画像をカラーモニタ１２に一覧に表示する。この一覧表示した画像を観察してプリント対象コマを特定する。キーボード６０及びマウス６１によりプリント対象コマに対するプリントサイズ及びプリント枚数を入力する。暗号化処理部３９により暗号化キーデータを用いて画像データを暗号化する。この暗号化した画像データをプリント注文データとともに、プリント仕上げ業者１３にデータ転送する。プリント仕上げ業者１３は、暗号化キーデータを用いて画像データを復合化し、元の画像データを得る。この画像データを用いてプリント注文データに基づきプリントを行う。このプリントをユーザー１０に送る。【選択図】        図２
2004030698.tif 000002
【特許請求の範囲】
【請求項１】
　ネットワークを介して発注者から少なくとも発注者識別情報を有するプリント注文データと画像データとを受付処理手段で受信してプリント処理を行うプリント処理方法において、
　前記受付処理手段は、前記発注者識別情報とその暗号化キーデータとを対応つけて記憶しており、
　発注者から受信したデータに基づき、前記発注者識別情報から暗号化キーデータを特定して前記受信したデータを復号化し、この復号化したデータに基づきプリント処理を行うことを特徴とするプリント処理方法。
【請求項２】
　前記暗号化キーデータにより、少なくとも画像データが暗号化されていることを特徴とする請求項１記載のプリント処理方法。
【請求項３】
　前記暗号化データは、発注者識別情報に基づき暗号化キーの設定日時が関連つけて記憶されることを特徴とする請求項１または２記載のプリント処理方法。
【請求項４】
　ネットワークを介して発注者から少なくとも発注者識別情報を有するプリント注文データと画像データとを受信してプリント注文を受け付ける受付処理装置において、
　前記発注者識別情報とその暗号化キーデータとを対応つけて記憶した記憶手段と、
　発注者から受信したデータに基づき、前記発注者識別情報から暗号化キーデータを特定して前記受信したデータを復号化する復号化手段とを有することを特徴とする受付処理装置。
【請求項５】
　前記暗号化データは、発注者識別情報に基づき暗号化キーの設定日時が関連つけて記憶されていることを特徴とする請求項１記載の受付処理装置。
【発明の詳細な説明】
【技術分野】
【０００１】
　本発明は、ネットワークを介してプリント注文を行うプリント処理方法及び受付処理装置に関する。
【背景技術】
【０００２】
　現在の写真プリントシステムでは、撮影済みフイルムを現像及びプリントするために、ＤＰ（同時プリント）受付店等に持ち込んでＤＰ処理を依頼し、受付時に指定された受渡し日時以降にプリントを受けとっている。このＤＰ処理では、撮影した全コマがプリント処理される。
【０００３】
　したがって、本当に欲しいコマのみならず全コマがプリントされるため、プリント費用がかさむという問題がある。また、焼き増し等の再注文プリントの場合には、処理の依頼と受取とのために、ＤＰ受付店等に２度にわたって出向く必要があり、面倒であった。
【０００４】
これに対しては、ユーザーとプリント仕上げ業者との間で例えばインターネット等を用いてデータ通信を行うことにより、画像データや注文データをデータ転送することが提案されている（例えば、特許文献１）。
【０００５】
【特許文献１】特開平６−３１１３４０号公報
【発明の開示】
【発明が解決しようとする課題】
【０００６】
　しかしながら、インターネット等を用いて画像データを送ると、第３者に見られることもあり、プライバシーの保護が十分ではない。
【０００７】
　本発明は上記課題を解決するためのものであり、簡単にプリントの発注が行えるようにし、しかも画像データが部外者に洩れることがないようにしたプリント処理方法及び受付処理装置を提供することを目的とする。
【課題を解決するための手段】
【０００８】
　上記目的を達成するために、本発明は、ネットワークを介して発注者から少なくとも発注者識別情報を有するプリント注文データと画像データとを受付処理手段で受信してプリント処理を行うプリント処理方法において、前記受付処理手段は、前記発注者識別情報とその暗号化キーデータとを対応つけて記憶しており、発注者から受信したデータに基づき、前記発注者識別情報から暗号化キーデータを特定して前記受信したデータを復号化し、この復号化したデータに基づきプリント処理を行うことを特徴とする。なお、前記暗号化キーデータにより、少なくとも画像データが暗号化されていることが好ましい。また、前記暗号化データは、発注者識別情報に基づき暗号化キーの設定日時が関連つけて記憶されることが好ましい。
【０００９】
　また、本発明は、ネットワークを介して発注者から少なくとも発注者識別情報を有するプリント注文データと画像データとを受信してプリント注文を受け付ける受付処理装置において、前記発注者識別情報とその暗号化キーデータとを対応つけて記憶した記憶手段と、発注者から受信したデータに基づき、前記発注者識別情報から暗号化キーデータを特定して前記受信したデータを復号化する復号化手段とを有することを特徴とする。また、前記暗号化データは、発注者識別情報に基づき暗号化キーの設定日時が関連つけて記憶されていることが好ましい。
【００１０】
〔作用〕
　フイルムスキャナに現像済みの写真フイルムカートリッジがセットされる。フイルムスキャナは写真フイルムカートリッジから写真フイルムを引き出して、各コマの画像を画像データとして読みだす。この読みだした画像データは、フイルムスキャナに接続されているカラーモニタに例えば一覧表示される。発注者はこの一覧表示を参照して、プリント対象コマを特定するとともに、プリントサイズ及びプリント枚数からなるプリント注文データを入力する。データ送信部は、暗号化キーデータにより少なくも画像データを暗号化して、プリント注文データと暗号化した画像データとを受注者に送る。受注者は、暗号化キーデータにより画像データを復号化する。
【００１１】
　暗号化キーデータは発注者又は受注者側で設定される。発注者側で暗号化キーデータが設定される場合には、写真フイルムカートリッジとともに取り扱われる記録媒体例えば写真フイルムにこの暗号化キーデータが記録され、これが受注者側で読み取られる。また、受注者側で暗号化キーデータが設定される場合にも同様にして写真フイルムカートリッジとともに取り扱われる記録媒体を介して暗号化キーデータが発注者側に送られる。
【００１２】
　暗号化された画像データは暗号化キーデータに基づき復号化されて元の画像データに戻され、プリンタでプリントされる。プリンタは、画像データとプリント注文データとに基づきプリントを作成する。このプリントは、プリント注文データ中の発注者識別データに基づき発注者が特定される。そして、納品方法指示データに基づき、郵送や宅配で発注者に送られる他に、仕上げ業者やＤＰ受付店等の店頭で発注者に直接渡される。また、プリント注文データの料金支払い指示データに基づき料金清算処理が行われる。例えば、銀行自動引き落とし、銀行振込、クレジットカード、プリペイドカードによる支払いなどが選択される他に、直接受渡し処理の場合には現金支払いも選択される。
【発明の効果】
【００１３】
　本発明によれば、受付処理手段は、前記発注者識別情報とその暗号化キーデータとを対応つけて記憶しており、発注者から受信したデータに基づき、前記発注者識別情報から暗号化キーデータを特定し、この暗号化キーデータにより暗号化されたデータを復号化し、この復号化したデータに基づきプリント処理を行うから、インターネットなどのネットワークを介してプリントを発注する場合に、暗号化によって画像内容を第三者に見られることもなく、プライバシーの保護が図れる。また、発注者識別情報と暗号化キーデータとを対応つけて記憶しているから、確実に復号化することができる。
【発明を実施するための最良の形態】
【００１４】
　図１は、本発明のプリント処理方法を示す概略図である。発注者としてのユーザー１０側にはフイルムスキャナ１１及びカラーモニタ１２が設けられている。また、受注者としてのプリント仕上げ業者１３側には受付用ワークステーション１４、大容量の記憶装置１５、プリンタ１６，１７，１８及び請求書発行プリンタ１９、納品袋印字プリンタ２０、及びフイルムプロセサ２１が設けられている。ユーザー１０のフイルムスキャナ１１とプリント仕上げ業者１３の受付用ワークステーション１４とはモデム２２，２３，電話回線２４，２５及びインターネット２６を介して接続される。
【００１５】
　プリント仕上げ業者１３側の受付用ワークステーション１４は、扱うデータ量が多いため、高機能及び高速なコンピュータからなるシステム構成になっている。この受付用ワークステーション１４には、周知のデータベースソフトが組み込まれており、ワークステーション１４と記憶装置１５とモデム２３とによりデータベース２７が構築されている。データベースソフトは、ユーザー１０側のフイルムスキャナ１１の注文処理ソフトに対応している。
【００１６】
　受付用ワークステーション１４には暗号化キーデータ設定部２８と、復号化処理部２９とが設けられている。暗号化キーデータ設定部２８は、ユーザー登録の際に、各ユーザー毎に暗号化キーデータを設定し、これを記憶装置１５に記憶する。暗号化キーデータは、ユーザーＩＤデータに基づきその設定日時データを関連つけて記憶される。また、フイルム現像の受付の際には、受け付けた写真フイルムカートリッジのフイルムＩＤデータが読み取られ、このフイルムＩＤデータがユーザーＩＤデータに基づき記憶装置１５に記録される。
【００１７】
暗号化手法としては、秘密キー暗号化方式や、公開キー暗号化方式などがあり、これらを選択して用いることができる。しかし、公開キー暗号化方式では、暗号化及び複合化の演算時間が長くなるという短所があるので、本実施形態では秘密キー暗号化方式を用いている。秘密キー暗号化方式としては、例えば、ＦＥＡＬ（Fast data Encipherment Algorithem ）やＤＥＳ（Data encription Stan- dard）などがある。この秘密キー暗号化方式では、暗号化のアルゴリズムを公開し、暗号化キーを秘密化する。そして、この秘密化した暗号化キーをユーザー１０及びプリント仕上げ業者１３が共有して外部にもれることのないように管理する。本実施形態では暗号化キーをプリント仕上げ業者１３が設定しているが、これは後に説明するように、ユーザー１０側で設定してもよい。
【００１８】
　復号化処理部２９は、暗号化された画像データを暗号化キーデータを用いて復号化し元の画像データに戻す。暗号化キーデータはプリント注文データのユーザーＩＤ番号に基づき記憶装置１５を検索することで求める。
【００１９】
フイルムプロセサ２１は周知のフイルム現像部２１ａの他に、磁気記録再生ヘッド２１ｂとデータ記録再生部２１ｃとを備えており、写真フイルムを現像する他に、写真フイルムの透明磁気記録層に磁気記録する。この磁気記録により、写真フイルムには、ユーザーＩＤ番号と暗号化キーデータが入力される。このため、磁気記録再生ヘッド２１ｂで写真フイルムのフイルムＩＤデータが読み取られ、このフイルムＩＤデータが受付用ワークステーション１４に送られる。受付用ワークステーション１４は、フイルムＩＤデータに基づきユーザーＩＤデータと暗号化キーデータとを検索して、これをフイルムプロセサ２１ａのデータ記録再生部２１ｃに送る。データ記録再生部２１ｃは、磁気記録再生ヘッド２１ｂを介して写真フイルムの透明磁気記録層にユーザーＩＤ番号と暗号化キーデータを書き込む。なお、フイルムＩＤデータとユーザーＩＤデータとを関連させて記憶させているから、フイルムＩＤデータのみでユーザーを識別することができるので、ユーザーＩＤデータを写真フイルムに書き込むことを省略してもよい。
【００２０】
現像処理された写真フイルムは、フイルムカートリッジに巻き取り収納された状態でユーザー１０に返却される。図２に示すように、ユーザー１０側のフイルムスキャナ１１は、フイルム送り部３０，フイルム画像読出し部３１，入力画像メモリ３２，処理制御部３３，磁気記録再生部３４，画像処理部３５，作業用画像メモリ３６，各種のデータメモリ３７，モニタ表示制御部３８，暗号化処理部３９，データ通信部４０から構成されている。
【００２１】
　フイルム送り部３０は、フイルムカートリッジ４１が装填されるカートリッジ装填部４２と、スプール回動軸４３と、ガイドローラ対４４と、フイルム送りローラ対４５と、フイルム収納部４６とから構成されている。カートリッジ装填部４２は収納凹部から構成されており、この凹部の開口には蓋部が開閉自在に取り付けられている。装填部４２にフイルムカートリッジ４１がセットされると、そのスプールはスプール回動軸４３に嵌合して回動可能に連結される。スプール回動軸４３は、フイルム送りモータ４７により正逆回転され、これによりスプールはフイルム送り出し方向又は巻取方向に回転する。
【００２２】
　フイルムカートリッジ４１はフイルム先端出し機能を備えており、スプールがフイルム送出し方向に回転されることでフイルム出入り口から写真フイルム４８の先端が送りだされる。フイルム送りローラ対４５はフイルム送りモータ４７で回転され、フイルム出入り口からの写真フイルム４８を挟持してこれをカートリッジ４１内から引き出す。なお、フイルム送りローラ対４５によりフイルム送りが行われると、フイルム送りモータ４７のスプール回動軸４３への伝達が断たれるようになっている。引き出された写真フイルム４８は、円筒状のフイルム収納部４６にカールした状態で収納される。
【００２３】
　ガイドローラ対４４とフイルム送りローラ対４５との間には、フイルム画像読出し部３１と磁気記録再生部３４とが配置されている。フイルム画像読出し部３１は、光源部５０と撮像部５１とから構成されている。光源部５０は、写真フイルム４８の持つ特性に合わせた発光特性を有する蛍光管５２とリフレクタ５３と拡散板５４とから構成されている。
【００２４】
　磁気記録再生部３４は、磁気再生ヘッド５５により写真フイルム４８の透明磁気記録層から撮影情報と暗号化キーデータ及びその設定日時データとを読み取り、これを処理制御部３３に送る。読み取ったコマ番号により、各コマの画像が特定される。暗号化キーデータは、処理制御部３３を介して暗号化処理部３９のメモリ３９ａに記憶される。このとき、暗号化処理部３９に暗号化キーデータが記憶されている場合には、その設定日時データが比較され、最新の暗号化キーデータであるときに、メモリ３９ａの暗号化キーデータが更新される。この他に、撮影日時データやタイトルデータも読みだされ、各コマの撮影日時やタイトルが各コマに隣接した位置でカラーモニタ１２に表示される。この他に、磁気記録再生部３４は、処理制御部３３からのタイトルデータ等を各コマに対応させた位置の透明磁気記録層に磁気記録ヘッド５６により書き込む。
【００２５】
　撮像部５１は、ライン型イメージエリアセンサからなるスキャナから構成されている。この撮像部５１は、フイルム送りに同期して写真フイルム４８の各コマの画像を走査して画像を撮像する。この画像データは入力画像メモリ５８に送られ、これに記憶される。
【００２６】
　画像処理部３５は、作業用画像メモリ３６を用いて、ガンマ補正処理、色補正処理、トリミング処理、文字データ嵌め込み合成処理、拡大／縮小処理、データ圧縮処理などを行う。
【００２７】
　処理制御部３３はマイクロコンピュータから構成されており、各部をシーケンス制御して、画像読取りと注文処理と暗号化処理とを行う。このため、処理制御部３３にはキーボード６０，マウス６１，及び各種データ記憶用のメモリ３７が接続されている。キーボード６０及びマウス６１の操作により、処理制御部３３は、画像読取り表示モード，プリント指定モード，高解像度読取りモード，注文処理モードに切り換えられる。
【００２８】
　画像読取り表示モードでは、処理制御部３３は、写真フイルム４８の送りに同期させて撮像部５１により各コマを撮像し、撮像したデータを入力画像メモリ３２に書き込む。画像処理部３５では一覧表示のためにインデックス画像を作成する。このインデックス画像は周知のように各コマをマトリクスに並べて一覧に表示したものである。
【００２９】
　このインデックス画像の作成時には高解像度画像データは要求されないため、撮像部５１は画素結合により低解像度化され、この状態で画像読取りが行われる。このようにして読み取られたインデックス画像の各コマは、作業用画像メモリ３６に順次書き込まれることで、インデックス画像が作成される。作成されたインデックス画像はモニタ表示制御部３８で読みだされ、カラーモニタ１２に表示される。
【００３０】
　プリント指定モードでは、カラーモニタ１２に表示されたインデックス画像を観察してプリント対象コマを特定する。この特定は、マウス６１によりカラーモニタ１２の画面中のカーソルをプリント対象コマの表示エリアに位置させてマウス６１の左ボタン（肯定ボタン）をクリックすることで行われる。この他に、各コマのコマ番号をキーボードから数値入力してもよい。また、他の入力手段、例えばライトペンやタッチパネルを用いてもよい。
【００３１】
　本実施形態では、プリントサイズ及びプリント枚数の入力が簡単になるように、通常サイズ及び撮影枚数「１」がデフォルトで設定されている。したがって、何も指示しない場合には、この通常サイズ及び撮影枚数「１」が指定される。また、これ以外の迫力ビジョンサイズやパノラマサイズを指定する場合や、複数枚を指定する場合には、周知の指定方法でこれらの入力が行われる。入力されたプリント対象コマ番号，プリントサイズ，プリント枚数データからなるプリント指示データはメモリ３７に記憶される。
【００３２】
　プリントサイズ情報は、上記通常サイズ，迫力ビジョンサイズ，パノラマサイズの他に、ペーパーサイズも指定することができる。例えば、一般的なＥサイズやＬサイズの他に、キャビネサイズや、Ａ４，Ａ３，Ａ２，Ａ１等の大サイズの指定が可能である。Ｅサイズ，Ｌサイズ，キャビネサイズ等は後に説明するようにカラー感光材料を用いる銀塩式写真プリンタでプリントされ、Ａ４，Ａ３等の大サイズはインクジェットプリンタや感熱プリンタでプリントされる。
【００３３】
　高解像度読取りモードでは、プリント注文データメモリ３７からプリント対象コマのコマ番号と、プリントサイズとが読みだされる。そして、このプリントサイズに基づき画像読取りの際の解像度を設定する。大きいプリントサイズが指定された場合には、高解像度モードが指定され、以下プリントサイズが小さくなるにしたがい、解像度が低く設定される。また、通常プリントの他に、迫力ビジョンプリント，パノラマプリントの各サイズが設定される場合には、これら各サイズに合わせたエリアから画像が読みだされる。
【００３４】
　注文処理モードでは、上記プリント指示データ以外のプリント注文データが入力される。これらプリント注文データとしては、納期希望日時指示データと、納品方法指示データと、料金支払い方法指示データと、ユーザー識別データとがある。これら各データは一度入力されると、それがメモリ３７に記憶される。そして、次の注文データの入力の際には、この前回注文したときのプリント注文データがカラーモニタ１２に表示され、共通データの再度の入力が省略されるようになっている。
【００３５】
　ユーザー識別データはユーザーを識別するもので、ユーザーの氏名，住所，郵便番号，電話番号，ＩＤ番号などから構成されている。フイルム現像を注文することにより、又は注文前にインターネット等を介してユーザー登録することにより、ユーザーＩＤ番号とパスワードが発行される。したがって、以後の注文は、ユーザーＩＤ番号とパスワードとの入力のみで、ユーザーが識別されることになる。
【００３６】
　納期希望日時指示データは、納期希望日時を指示するものである。納期希望日時は、プリント仕上げ業者において、予め複数種類の納期日時が設定してあり、この中から選択するようになっている。例えば、受付後１２時間以内の納品、受付後２４時間以内の納品、受付後２日以内納品などが選択される。なお、このような選択方式に変えて、希望納期日時を指定する方式としてもよい。納品方法指示データは納品方法を指示するものであり、郵送，宅配，店頭受取等が選択される。
【００３７】
　料金支払い方法指示データは、料金の支払い方法を指示するものであり、郵送及び宅配の納品を希望するときには、クレジットカード支払い，銀行自動引き落とし，銀行振込，プリペイドカード支払い等が選択される。また、受取の納品を希望するときには、上記支払い形態の他に現金払いが選択される。
【００３８】
　各データの入力が終了すると、処理制御部３３は暗号化処理部３９を制御して画像データを暗号化する。暗号化処理部３９では暗号化キーデータのメモリ３９ａに書き込まれた暗号化キーを用いて、画像データを暗号化する。なお、画像データの他にプリント注文データも暗号化してもよい。この場合には、この暗号化された画像データ及びプリント注文データにユーザーＩＤ番号を付してプリント仕上げ業者１３に送る。
【００３９】
　データ通信部４０は、プリント注文データ及び暗号化された画像データをプリント仕上げ業者１３のデータベース２７に転送する。このデータ転送は、周知のパソコン通信の手法が用いられ、電話回線２４，２５及びインターネット２６を介して注文データ及び画像データがデータベース２７に送られる。プリント注文データは、ユーザー識別データ，納期希望日時指示データ，料金支払い方法指示データなどから構成されている。
【００４０】
ユーザーからデータ転送されたプリント注文データ及び暗号化された画像データは、受付用ワークステーション１４で受付処理された後に、各デジタルプリンタ１６〜１８を用いて、プリント６８，７０，７１が作成される。
【００４１】
　図１に示すように、前記デジタルプリンタ１６，１７，１８には、ペーパーサイズの異なる感光材料及び記録材料がセットされており、これらプリンタ１６〜１８は異なるサイズのプリントを行う。プリンタ１６，１７は銀塩方式カラーデジタルプリンタから構成されており、デジタルデータに基づき銀塩方式カラー感光材料（カラーペーパー）を走査露光して、画像を焼付露光する。カラーペーパーはポジ・ポジタイプのものが用いられ、ポジ像でカラーペーパーが焼付露光される。
【００４２】
　銀塩方式カラーデジタルプリンタ１６は、図３に示すように、レーザー光による走査露光方式の焼付露光部６５を備えており、画像データに基づき光ビームを変調し、カラーペーパー６６の送りに同期させてカラーペーパー６６のイエロー，マゼンタ，シアンの各感光層を走査露光して、各画像を焼付露光する。この焼付露光済みのカラーペーパー６６はペーパープロセサ６７で現像処理された後に、カットマークに基づき各コマ毎に切り離され、Ｌサイズのプリント６８が作成される。また、裏印字器６９が設けられており、この裏印字器６９は、各画像に対応させたカラーペーパー６６の裏面に受付番号，ユーザーＩＤ番号，及びこれらのバーコードを記録する。他方の銀塩方式カラーデジタルプリンタ１７も同じように構成されている。このプリンタ１７にはキャビネサイズのものがセットされており、キャビネサイズのプリント７０が作成される。
【００４３】
　焼付露光部６５には、レーザー光による走査露光方式の他に、ＣＲＴや液晶表示パネル等を用いた面露光方式又は線露光方式を用いてもよい。また、光ビームを変調する代わりに、マイクロミラー装置を用いて走査露光してもよい。マイクロミラー装置は、サイズが極めて小さいミラー（マイクロミラー）をライン又はマトリクスに配列し、各マイクロミラーの傾斜角度を制御して入射光を偏向するものである。
【００４４】
　カラーペーパーとして、ネガ・ポジタイプのものを用いる場合には画像データはポジ・ネガ変換される。このポジ・ネガ変換は、デジタルプリンタ１６〜１８の画像処理部で行う他に、ワークステーション１４の画像処理部で行ってもよい。なお、デジタルプリンタ１６〜１８の画像処理部は、ガンマ補正やマトリクス補正を行い、得られたプリントの濃度及び色バランスが最適になるようにしている。
【００４５】
　また、プリンタ１８は周知のインクジェット方式カラーデジタルプリンタから構成されている。このプリンタ１８はユーザー注文データのプリント方式指示データがインクジェット方式の場合に選択され、Ａ０〜Ａ４サイズ等の大きなサイズのプリント７１を作成する。このため、プリンタ１８には各種サイズの記録紙がセットされており、サイズ指定に応じて対応する記録紙が選択される。このプリンタ１８にも裏印字器が設けられており、受付番号，ユーザーＩＤ番号，及びこれらのバーコードが記録紙の裏面に記録される。
【００４６】
　図１に示すように、請求書発行プリンタ１９はワークステーション１４のデータに基づき請求書７２をプリントする。また、納品袋印字プリンタ２０は納品袋７３に住所，氏名，郵便番号等を印字する。更に、プリンタ１９，２０は、各プリントとの照合のため、受付番号，ユーザーＩＤ番号，及びこれらのバーコードを記録する。
【００４７】
　次に、図４を参照して本実施形態の作用について説明する。先ず、ユーザー１０はフイルム現像をプリント仕上げ業者に依頼する。プリント仕上げ業者は、フイルム現像の注文受付の際に、ユーザー登録済みか否かを判定し、未登録の場合にはユーザー登録を行う。このユーザー登録では、受付用ワークステーション１４は、ユーザーＩＤ番号とパスワードと暗号化キーデータをユーザー１０に対して設定する。そして、後に説明する画像データの転送によるプリントの受付処理では、このユーザーＩＤ番号とパスワードとの照合により、プリント注文を受け付ける。設定されたユーザーＩＤ番号とパスワードと暗号化キーデータは、記憶装置１５に記憶される。また、フイルム現像の注文受付の際には、写真フイルムＩＤデータが読み取られ、この写真フイルムＩＤデータとユーザーＩＤデータとが関連付けて記憶装置１５に記憶される。
【００４８】
フイルム現像では、フイルムプロセサ２１ａに写真フイルムカートリッジをセットして、写真フイルムを現像処理する。この現像処理の前に、磁気記録再生ヘッド２１ｂ及びデータ記録再生部２１ｃを介して写真フイルムの透明磁気記録層からフイルムＩＤデータが読みだされ、このフイルムＩＤデータに基づきユーザーＩＤデータ，暗号化キーデータ，及びその設定日時データが記憶装置１５から検索される。そして、これら各データがデータ記録再生部２１ｃ及び磁気記録再生ヘッド２１ｂを介して、写真フイルムの透明磁気記録層に書き込まれる。現像された写真フイルムは、元のフイルムカートリッジに巻き取られて、ユーザー１０に返却される。
【００４９】
　ユーザー１０は、フイルムカートリッジ４１をフイルムスキャナ１１にセットする。このセットにより写真フイルム４８の透明磁気記録層から先ず暗号化キーデータとその設定日時データとが読み取られる。そして、設定日時データが既にメモリ３９ａに記憶されている設定日時データよりも新しい場合には、メモリ３９ａの暗号化キーデータとその日時データとが新しいものに更新される。
【００５０】
次に、画像読取表示モードが指定されると、このモードでは、インデックス画像を作成するために、写真フイルム４８の全コマが撮像部５１により読み取られ、これが画像処理部３５で画像処理された後に、作業用画像メモリ３６に順次書き込まれて、インデックス画像が作成される。作成されたインデックス画像はモニタ表示制御部３８を介してカラーモニタ１２に表示される。
【００５１】
　次に、処理制御部３３をプリント指定モードに設定して、マウス６１によりプリント対象コマを特定するとともにプリントサイズ及び枚数を入力する。これらプリント指示データはメモリ３７に記憶される。
【００５２】
　全てのプリント指示データの入力が終了すると、処理制御部３３は高解像度読取りモードに設定される。この高解像度読取りモードでは、メモリ３７に記憶されたプリント指示データに基づきプリント対象コマの画像がプリントサイズに対応する解像度で読み取られる。すなわち、プリントサイズが大きい場合には解像度が高くされ、サイズが小さくなるにしたがい解像度が低くされる。また、通常サイズの他に、迫力ビジョンサイズやパノラマサイズが指定される場合には、これらサイズに対応するエリアから画像が読み取られる。
【００５３】
　読み取られた画像データは画像処理部３５によって画像処理される。画像処理としては、例えばガンマ補正、マトリクス補正、文字イラスト合成、拡大／縮小、トリミング、画像合成等があり、これらの画像処理が選択的に実施される。次に画像処理済みの画像データが、例えばＪＰＥＧ（Joint Photgraphic Experts  Group）圧縮される。データ圧縮率はプリントサイズに応じて変えられる。プリントサイズが大きい場合には圧縮率が低くされ、画質劣化が抑えられる。また、プリントサイズが小さくなるほど、画質劣化は目立たなくなるので圧縮率が高くされる。なお、データ圧縮方式はＪＰＥＧに限定されることなく、他の周知の圧縮方式を用いてもよい。圧縮された画像データはメモリ３７に記録される。これら各コマの画像データはプリント指示データに対応して記憶される。
【００５４】
　各プリント対象コマの画像読取りが終了すると、処理制御部３３は注文処理モードにされ、納期希望日時指示データと、納品方法指示データと、料金支払い方法指示データとが入力される。この入力の後に、データ転送を指示すると、処理制御部３３は、データ通信部４０を制御して、プリント注文データを順次プリント仕上げ業者１３のデータベース２７に送る。
【００５５】
　ワークステーション１４では、現在の注文総数及び納期を管理しているので、送られて来たプリント注文データの画像サイズ及びプリント枚数に基づき、希望納期に間に合うかどうかを他のユーザーの注文数やプリントの処理能力に応じて演算し、プリント仕上り時間を特定する。そして、このプリント仕上り時間に納品処理時間を加算することで、納期を算出する。算出した納期が希望納期を越える場合には、ワークステーション１４は処理不可能メッセージをユーザー１０に送る。この場合には、ユーザー１０は希望納期日時の変更か、注文の中止かを選択する。算出した納期が希望納期内であるときには、ワークステーション１４は受付番号と納期と料金とをユーザー１０に送る。
【００５６】
　ユーザー１０側のフイルムスキャナ１１は、送られてきた受付番号と納期と料金とをカラーモニタ１２に表示する。ユーザー１０はカラーモニタ１２を観察して、この料金，納期でよければ、受付番号と画像データをプリント仕上げ業者１３に送る。このとき、暗号化処理部３９は、予め記録されている暗号化キーデータを用いてメモリ３７から読みだした画像データを暗号化処理する。また、納期や料金の問題でプリントの注文を止める場合には、画像データをデータ転送する必要がないため、この分だけデータ転送コストを低くすることができる。
【００５７】
　プリント仕上げ業者１３は受付番号と暗号化された画像データとを受け取ると、受付番号に基づき、画像データとプリント注文データとを対応付けて、記憶装置１５に記憶する。この後、プリント注文データのユーザーＩＤ番号に基づき暗号化キーデータを記憶装置１５から読みだして、暗号化された画像データを暗号化キーデータを用いて復号化し元の画像データを得る。なお、納期や料金の確認が不要の場合には、ユーザーはプリント注文の際に、プリント注文データと暗　号　　　　　　　　　　　　　　　　　　　　　　　　　　
【００５８】
　次に、ワークステーション１４は、受付した内容に基づき、納期順に各注文のプリントを行う。このとき、プリント指示データに基づき用いるプリンタ１６〜１８を選択する。そして、指示されたプリントサイズで指示枚数分のプリントを行う。例えば、通常のＬサイズプリントが指定された場合には、プリンタ１６を用いて、Ｌサイズプリント６８を作成する。また、キャビネサイズプリントが指定された場合にはプリンタ１７を用いてキャビネサイズプリント７０を作成する。また、Ａ３サイズのプリントが指定された場合には、インクジェットプリンタ１８を用いて、Ａ３サイズのプリント７１を作成する。
【００５９】
　また、各プリンタ１６〜１８の裏印字器は、プリント６８，７０，７１の裏面に受付番号，ユーザーＩＤ番号及びこれらのバーコードを印刷する。これら受付番号，ユーザーＩＤ番号及びバーコードは、後の納品処理で請求書，納品袋との照合に用いられる。
【００６０】
　プリントと並行して又はプリントの前後に、請求書及び納品袋のプリント処理が行われる。請求書発行処理では、ワークステーション１４は、請求書発行プリンタ１９により、請求料金の明細と受付番号，ユーザーＩＤ番号，及びこれら番号のバーコードとを所定のフォーマットでプリントして、請求書７２を発行する。同じように、ワークステーション１４は、納品袋印字プリンタ２０により、ユーザーの郵便番号，住所，氏名，電話番号，納品種別コード等と受付番号，ユーザーＩＤ番号，及びこれら番号のバーコードとを納品袋７３にプリントする。これら郵便番号や住所氏名等はプリント注文データのユーザーＩＤ番号に基づき特定される。なお、透明窓付きの納品袋を採用する場合には、請求書に住所氏名等を記入することで、納品袋への宛て名書きプリントを省略してもよい。納品袋７３はプリントサイズに応じて各種用意されており、例えばＡ０〜Ａ３等の大サイズプリントの場合には、筒体が用いられる。また、納品袋６８への直接印字の他に、ラベルにプリントしてもよく、この場合には、このラベルが納品袋７３に貼られる。
【００６１】
　仕上がったプリント６８，７０，７１と請求書７２と納品袋７３とには同一の受付番号及びバーコードが記録されるため、これらを基準にして照合が行われ、袋詰めされた後に納品種別コードにより、郵送，宅配，受渡し等の処理が選択される。なお、この袋詰めは受付番号に基づき人手により行われる他に、受付番号バーコードをバーコードリーダーで自動的に読み取って自動的に袋詰めした後に、各納品種別に応じて仕分けるようにしてもよい。
【００６２】
　プリント料金は、料金支払い方法指示データで指示された方法により清算される。例えば、プリペイドカード支払い方法の場合には、プリント仕上げ業者等でプリペイドカードをユーザーが購入して、このカードＩＤ番号をプリント支払い方法指示データとして入力することで、ワークステーション１４はこのプリペイドカードの料金限度額内までプリントを行うことができる。
【００６３】
なお、上記実施形態では、フイルムプロセサ２１で暗号化キーデータを写真フイルム４８の透明磁気記録層に書き込むようにしたが、この他に、フイルム現像の受付の際に受付機で写真フイルム４８に暗号化キーデータを書き込むようにしてもよい。また、フイルム現像を終了した後に、暗号化キーデータを書き込んでもよい。上記実施形態では、写真フイルム４８の透明磁気記録層に暗号化キーデータを書き込むようにしたが、この他に、写真フイルム４８に文字や記号、バーコード等を用いて光学的に記録してもよい。この場合には、当然のことながらフイルム現像の前に記録を行う。また、記録媒体は、フイルムカートリッジに内蔵させたＩＣメモリや、フイルムカートリッジとは別に設けたメモリカード等を用いてもよく、この場合には各メモリに電子的に記録する。なお、定期的にユーザー別の暗号化キーデータを変更することにより、万一暗号化キーデータが盗まれた場合でも被害を抑えることができる。
【００６４】
また、上記実施形態では、暗号化キーデータをプリント仕上げ業者１３側で設定するようにしたが、この他に、図５に示すように、ユーザー側で設定して、これをフイルムスキャナ１１で写真フイルム４８の透明磁気記録層に磁気記録してもよい。この磁気記録は、フイルムスキャナ１１を用いる代わりに、カメラの撮影情報記録部を用いることで、写真フイルムに磁気記録してもよい。また、磁気記録の代わりに光学的又は電子的に暗号化キーデータを記録してもよい。なお、この場合にも、暗号化キーデータの他に暗号化キーデータの設定日時データを書き込んでおくことにより、新たに暗号化キーデータを設定した場合に、最新の暗号化キーデータを用いることができるようになる。また、ユーザー側で暗号化キーデータを設定する場合には、異なるユーザー間で暗号化キーデータが偶然一致する可能性もある。そこで、ラボ側では、新規設定の暗号化キーデータに対し、既に設定済みの他のユーザー識別暗号化キーデータで一致するものがないかチェックし、一致するものがあれば、ラボ側で上記新規設定の暗号化キーデータに部分変更を加えるようにする。この場合には、変更済み暗号化キーデータとともに、変更したという情報あるいは一致警告情報をフイルムの磁気記録層等に書き込んで、ユーザー側に連絡するとよい。
【００６５】
なお、上記実施形態では、銀塩式カラーデジタルプリンタ１６，１７及びインクジェットカラープリンタ１８を用いたが、この他に、熱現像転写方式のカラープリンタ、カラーサーマルプリンタ、カラーレーザープリンタを用いてもよい。また、当然のことながらモノクロプリントを行う場合にはモノクロプリンタが用いられる。
【００６６】
　また、プリント注文データとして、インデックスプリント，マルチプリント，シールプリント，文字合成プリント，更にはモノクロプリント等を指示するものを加えてもよい。シールプリントは、剥離紙に貼り付けられており、剥がして他のものに貼り付けて使用するもので、多くはマルチプリントと併用される。
【００６７】
　プリント注文データとして画像補正処理指示データを加えてもよく、この場合には、プリント仕上げ業者１３のオペレータにより仕上りをシミュレート表示した画像が観察され、濃度及び色バランスが最適となるように、画像補正処理が行われる。この場合には、補正処理料金が請求料金に加算される。また、画像データの他に、透明磁気記録層に記録された撮影情報等の磁気記録データもプリント仕上げ業者１３にデータ転送してもよい。この場合には、撮影情報中の例えばプリント品質向上情報（ＰＱＩ）を用いることで、プリント品質を向上させることができる。また、写真フイルムに記録された情報のみでなく、テレビ受像機やビデオ再生機などからの画像データを本発明のフイルムスキャナを用いてデータ転送してもよく、この場合にもこれら画像をプリントすることができる。
【００６８】
　また、上記実施形態では、インデックス画像の作成時の読取りは、撮像部５１の画素を結合して低解像度化したが、この他に、撮像部５１で高解像度で読み取り、この高解像度画像データを間引くことで、低解像度化してもよい。
【００６９】
　また、上記実施形態では、各ユーザー毎に暗号化キーデータを設定して、これを管理するようにしたが、この他に、各写真フイルム毎に暗号化キーデータを設定し、この暗号化キーデータにより各写真フイルム毎に暗号化処理してもよい。
【図面の簡単な説明】
【００７０】
【図１】本発明のプリント発注システムを示す概略図である。
【図２】本発明のフイルムスキャナを示す機能ブロック図である。
【図３】本発明のプリント発注システムで用いる銀塩式カラーデジタルプリンタを示す機能ブロック図である。
【図４】本発明のプリント発注システムの処理手順を示すフローチャートである。
【図５】別の実施形態における処理手順を示すフローチャートである。
【符号の説明】
【００７１】
　１０　ユーザー（発注者）
　１１　フイルムスキャナ
　１２　カラーモニタ
　１３　プリント仕上げ業者（受注者）
　１４　ワークステーション
　１５　記憶装置
　１６，１７　銀塩式カラーデジタルプリンタ
　１８　インクジェットプリンタ
　１９　請求書発行プリンタ
　２０　納品袋印字プリンタ
２１  フイルムプロセサ
　２２，２３　モデム
　２４，２５　電話回線
２６  インターネット
　２７　データベース
　２８  暗号化キーデータ設定部
２９，２５　複合化処理部
３０  フイルム送り部
　３１　フイルム画像読出し部
　３２　入力画像メモリ
　３３　処理制御部
　３４　磁気記録再生部
　３５　画像処理部
　３９  暗号化処理部
４０  データ通信部
４１  フイルムカートリッジ
　４８　写真フイルム
　６８，７０，７１  プリント
【図１】
2004030698.tif 000003
【図２】
2004030698.tif 000004
【図３】
2004030698.tif 000005
【図４】
2004030698.tif 000006
【図５】
2004030698.tif 000007